(57)【要約】【課題】コストを軽減しつつ、容易な作業で効率良く基礎の耐久性を向上させることができる施工性に優れた基礎構造を提供する。【解決手段】  鉄筋コンクリート造の基礎１の立ち上がり部５の内側面５１に、コンクリートの中性化を抑制する養生シート１０が貼り付けられている基礎構造であって、養生シート１０は、上端が立ち上がり部５の天端面５２から所定距離ｈ１だけ下方に位置するように、立ち上がり部５の内側面５１に貼り付けられている。【選択図】図２
2015187342.tif 000002
【特許請求の範囲】
【請求項１】
立ち上がり部を有する鉄筋コンクリート造の基礎構造であって、
前記立ち上がり部の内側面は、コンクリートの中性化を抑制する養生シートが貼り付けられていることを特徴とする基礎構造。
【請求項２】
前記養生シートは、その上端が前記立ち上がり部の天端面から所定距離だけ下方に位置するように、前記立ち上がり部の内側面に貼り付けられていることを特徴とする請求項１に記載の基礎構造。
【請求項３】
前記立ち上がり部の外側面は、コンクリートの中性化を抑制する弾性塗料が塗布されていることを特徴とする請求項１又は２に記載の基礎構造。
【発明の詳細な説明】
【技術分野】
【０００１】
本発明は、住宅等の建物における基礎構造に関する。
【背景技術】
【０００２】
従来から、住宅等の建物における基礎としては、耐久性を高めるために、コンクリート内部に鉄筋を埋設した鉄筋コンクリート造のものが一般的に知られている。このような鉄筋コンクリート造の基礎では、コンクリート型枠を脱枠した後、大気中に曝される基礎の立ち上がり部のコンクリート表面から水分が蒸発し、乾燥収縮を引き起こすことにより内部に引張力が生じ、コンクリートが持つ許容引張強度をその引張力が超えた場合に、表面にひび割れが発生する。
【０００３】
また、鉄筋コンクリート造の基礎は、コンクリートに含まれる水酸化カルシウムによって強アルカリ性になっているため、鉄筋における錆の発生が抑制されているが、大気中に含まれる二酸化炭素、窒素酸化物、硫黄酸化物等の酸性物質、或いは雨水や結露水等に含まれる水分といった劣化因子と反応することにより、コンクリートが経時的に中性化する。このようにコンクリートが中性化すると、コンクリート内部の鉄筋に錆が発生する。これにより、鉄筋が膨張し、コンクリートにひび割れ等を引き起こすことになり、基礎の耐久性が低下するといった問題が生じる。このようなコンクリートの中性化の問題は、地中に埋没された部分よりも大気中に曝された基礎の立ち上がり部において発生し易く、特に屋外側よりも劣化因子が滞留し易い床下空間に面する屋内側において進行し易い傾向にある。
【０００４】
そこで、従来から、基礎の立ち上がり部にコンクリートの中性化を抑制する塗料を塗布することにより、耐久性を向上させた基礎構造が提案されている（例えば、特許文献１参照）。特許文献１の建物の基礎構造では、図６に示すように、立ち上がり部１０１の天端面１０１ａを覆うようにして、レベリング材を施工して仕上層１０２を設けた鉄筋コンクリート造の布基礎１００において、立ち上がり部１０１の外側面１０１ｂ及び内側面１０１ｃに、コンクリートの中性化を抑制する中性化抑制材としてシリコン樹脂塗料又はポリマーセメント系塗料等を塗布してなる側面保護層１０３をぞれぞれ形成するとともに、立ち上がり部１０１の天端面１０１ａと仕上層１０２との間に、コンクリートの中性化を抑制する中性化抑制材としてエポキシ樹脂系塗料又は珪酸塩系表面含浸材等を塗布してなる天端面保護層１０４を形成することにより、立ち上がり部１０１を被覆している。
【０００５】
このように特許文献１の基礎構造では、大気中に曝された立ち上がり部１０１を、側面保護層１０３及び天端面保護層１０４によって被覆しているので、立ち上がり部１０１のコンクリートと二酸化炭素や水分等の劣化因子との反応を阻止して、コンクリートの中性化を抑制し、布基礎１００の耐久性を向上させている。また、特許文献１の基礎構造では、布基礎１００のコンクリートに含まれる水分の逸脱を防止することから、未反応のセメント成分と残留水分との反応を永続的に進行させて、長期的な強度増進を図ることができるとともに、コンクリートの乾燥収縮を低減して、ひび割れ等の発生を抑制することができる。
【先行技術文献】
【特許文献】
【０００６】
【特許文献１】特開２０１１−０３２８２１号公報
【発明の概要】
【発明が解決しようとする課題】
【０００７】
しかしながら、特許文献１の建物の基礎構造では、コンクリートの中性化を抑制する塗料を基礎の立ち上がり部に塗布する作業を行う必要があるため、ムラ等が生じる虞があると共に、塗料を乾燥させる時間等も必要なため、作業に比較的時間を要するという問題がある。特に、立ち上がり部の内側面の作業は、基礎上に建物を施工した後は、床下空間へ潜って行う必要があり、十分な作業スペースを確保することができないので、基礎上に建物本体を施工する前に作業を行うことが好ましく、作業時間を短縮し、コストを軽減するために、効率良く作業を行うことが求められる。また、一般的にコンクリート構造物の耐久性を向上させるために、中性化の進行を遅らせようとする場合には、セメント量を増やし、水セメント比を低くすることが行われるが、その場合、セメント量の増加と共に硬化後の収縮量の増加につながるため、ひび割れ発生の問題が避けられない。また、セメント量の増加は、材料費の増加に繋がるため、コストも高くなるという問題がある。
【０００８】
本発明は、上記のような課題に鑑みてなされたものであって、コストを軽減しつつ、容易な作業で効率良く基礎の耐久性を向上させることができる施工性に優れた基礎構造を提供することを目的とする。
【課題を解決するための手段】
【０００９】
上記目的を達成するために、請求項１に記載の基礎構造は、立ち上がり部を有する鉄筋コンクリート造の基礎構造であって、前記立ち上がり部の内側面は、コンクリートの中性化を抑制する養生シートが貼り付けられていることを特徴としている。
【００１０】
請求項２に記載の基礎構造では、前記養生シートは、その上端が前記立ち上がり部の天端面から所定距離だけ下方に位置するように、前記立ち上がり部の内側面に貼り付けられていることを特徴としている。
【００１１】
請求項３に記載の基礎構造は、前記立ち上がり部の外側面は、コンクリートの中性化を抑制する弾性塗料が塗布されていることを特徴とする請求項１又は２に記載の基礎構造。
【発明の効果】
【００１２】
請求項１に記載の基礎構造によれば、基礎の立ち上がり部の内側面は、コンクリートの中性化を抑制する養生シートが貼り付けられたものであるので、容易な作業で効率良く基礎の耐久性を向上させることができ、作業時間の短縮及びコストの軽減を図ることができる。また、立ち上がり部の内側面に、養生シートを貼り付けることで、基礎の耐久性を向上させているので、塗料を塗布する場合のようにムラが生じる虞がなく、施工性を向上させることができる。また、養生シートによって基礎の立ち上がり部のコンクリートに含まれる水分の逸脱を防止するので、コンクリートの乾燥収縮を低減して、ひび割れ等の発生を抑制し、基礎の耐久性を長期的に維持することができる。また、コンクリートの劣化スピードは、施工状況や材料によって大きく変わるが、本発明の基礎構造では、コンクリートと二酸化炭素や水分等の劣化因子との反応を阻止し、施工差や材料差に関係なく、中性化の抑制効果を発揮することができるので、中性化抑制のためにセメント量を増加させる必要がなく、コストを軽減することができる。
【００１３】
請求項２に記載の基礎構造によれば、養生シートの上端を立ち上がり部の天端面から所定距離だけ下方に位置するように貼り付けることで、より安定的に基礎の耐久性を維持することができる。
【００１４】
請求項３に記載の基礎構造によれば、立ち上がり部の外側面は、コンクリートの中性化を抑制する弾性塗料が塗布されているので、コンクリートの乾燥収縮を低減して、ひび割れ等の発生を抑制することができる。また、外面側のコンクリートにひび割れが発生するようなことがあっても、そのひび割れに追従して伸びることで、ひび割れを塞いで外部に露出させ難くすることにより、意匠性を向上させると共に、中性化の抑制を長期的に維持することができる。
【図面の簡単な説明】
【００１５】
【図１】本発明の第１の実施形態に係る基礎構造を用いた施工例を示す概略縦断面図である。
【図２】本発明の第１の実施形態に係る基礎構造の一例を示す概略縦断面図である。
【図３】本発明の第１の実施形態に係る基礎構造の他の一例を示す概略縦断面図である。
【図４】本発明の第１の実施形態に係る基礎構造の更に他の一例を示す概略縦断面図である。
【図５】本発明の第２の実施形態に係る基礎構造の一例を示す概略縦断面図である。
【図６】基礎構造の従来例を示す概略縦断面図である。
【発明を実施するための形態】
【００１６】
以下、本発明に係る基礎構造の実施形態について、図面を参照しつつ説明する。本発明の第１の実施形態に係る基礎構造は、住宅等の建物に用いられるものであって、基礎１は、図１及び図２に示すように、コンクリート構造体２の内部に鉄筋３を配設した鉄筋コンクリート造の布基礎である。
【００１７】
コンクリート構造体２は、図１及び図２に示すように、略直方体状のフーチング部４と、該フーチング部４の上面略中央から立ち上がった略四角柱状の立ち上がり部５とを有するものであって、断面逆Ｔ字状に形成されている。フーチング部４及び立ち上がり部５の下端は、地盤Ｇに埋設された状態になっており、基礎１によって囲まれた床下空間Ｓの地盤Ｇ上には、土間コンクリート６が敷設されている。また、土間コンクリート６の周端部の端面は、後述する養生シート１０が貼り付けられている基礎１の立ちが上がり部５の屋内側の内側面５１に接合されている。尚、土間コンクリート６の代わりに、防湿シートを敷設するようにしても良い。
【００１８】
この基礎１では、立ち上がり部の上端側は、レベル調整や水平性を確保する不陸調整のために、レベリング材を施工してなる平滑な仕上層７が所定の厚みで形成されており、その仕上層７の上面を立ち上がり部１４の天端面５２としている。レベリング材としては、例えば、水で練って流し込むことで、平滑な仕上層７を容易に形成することができるセメント系セルフレベリング材等を用いることができる。
【００１９】
また、立ち上がり部５には、アンカーボルト８が埋設されており、このアンカーボルト８は、上端が立ち上がり部５の天端面５２から上方へ突出するように設けられている。そして、仕上層７上には、柱材９等の構造材が配設されており、これらの構造材がアンカーボルト８を介して立ち上がり部５に締結されている。
【００２０】
このように構成された本実施形態に係る基礎１では、図１及び図２に示すように、コンクリートの中性化を抑制して耐久性を向上させるために、立ち上がり部５の屋内側の空気と接触する内側面５１に、コンクリートの中性化を抑制する養生シート１０が貼り付けられている。養生シート１０は、図２に示すように、立ち上がり部５の内側面５１と土間コンクリート６の上面６１の周端部とで形成される隅部から立ち上がり部５の天端面５２の高さ位置までにわたって貼り付けられている。この立ち上がり部５の内側面５１に貼り付けられる養生シート１０としては、例えば、基材としてポリオレフィン系フィルム、内側面５１に貼り付けるための粘着剤としてアクリル系粘着剤が使用されている住友スリーエム社製の「３ＭＴＭコンクリート保水養生テープ２２２７ＨＰ」等を用いることができる。尚、立ち上がり部５の内側面５１に貼り付けられる養生シート１０は、これに限定されるものではなく、立ち上がり部５の乾燥収縮を低減すると共に、中性化を抑制できるものであれば良い。
【００２１】
基礎１の構造では、このような養生シート１０を立ち上がり部５の内側面５１に貼り付けることで、水分蒸発の抑制効果によるコンクリート表面の緻密化により、コンクリートと二酸化炭素や水分等の劣化因子との反応を阻止し、コンクリートの中性化を抑制すると共に、ひび割れ等の発生を抑制することができ、耐久性を向上させることができる。また、養生シート１０は、内側に粘着剤が設けられており、立ち上がり部５の内側面５１に沿って貼り付けるという容易な作業でコンクリートの中性化を抑制することができるので、作業時間を大幅に短縮し、コストを軽減することができる。また、養生シート１０に対して、立ち上がり部５のコンクリートに近い色のデザインを施すことにより、美観を向上させるようにしても良い。尚、図２では、養生シート１０の下端側が立ち上がり部５の内側面５１と土間コンクリート６の上面６１の周端部とで形成される隅部に留められるように貼り付けられている例を示しているが、養生シート１０の立ち上がり部５の内側面５１への貼り付け方は、これに限定されるものではなく、例えば、図３に示すように、下端側を立ち上がり部５の内側面５１と土間コンクリート６の上面６１の周端部とで形成される隅部で折り曲げて、土間コンクリート６の上面６１に沿うように貼り付けても良い。また、養生シート１０は、図４に示すように、その上端が立ち上がり部５の天端面５２から所定距離ｈ１だけ下方に位置するように内側面５１に貼り付けられていても良く、下端が土間コンクリート６の上面６１から所定距離ｈ２だけ上方に位置するように内側面５１に貼り付けられていても良い。このように、養生シート１０の上端を立ち上がり部５の天端面５１から所定距離ｈ１だけ下方に位置するように貼り付けたり、下端を土間コンクリート６の上面６１から所定距離ｈ２だけ上方に位置するように貼り付けたりすることで、より安定的に基礎の耐久性を維持することができる。また、図５に示すように、養生シート１０の下端側が地盤Ｇ内に入り込むようにしても良い。
【００２２】
以下、本実施形態に係る基礎１の構造の構築方法の一例について図２を参照しつつ説明する。基礎１の構築に際しては、まず鉄筋３やアンカーボルト８をセットした型枠内にコンクリートを打設して、フーチング部４及び立ち上がり部５を有するコンクリート構造体２を形成する。次に、立ち上がり部５の上面にレベリング材を流し込んで仕上層７を形成する。そして、型枠を脱枠した後、立ち上がり部５の内側面５１に、コンクリートの中性化を抑制する養生シート１０を貼り付ける。この際、養生シート１０は、図２に示すように、上端が立ち上がり部５の天端面５２と同じ高さに位置し、下端が立ち上がり部５の内側面５１と土間コンクリート６の上面６１の周端部とで形成される隅部に位置するように内側面５１に貼り付けられる。また、養生シート１０を内側面５１に貼り付ける際、前述した通り、図４に示すように、上端が立ち上がり部５の天端面５２から所定距離ｈ１だけ下方に位置するように内側面５１に貼り付ける場合もある。この場合には、養生シート１０を立ち上がり部５の内側面５１に貼り付けた後、基礎１上への建物本体の施工時等に、養生シート１０が上端側から剥がれてしまうことを抑制することができる。また、下端が土間コンクリート６の上面６１から所定距離ｈ２だけ上方に位置するように内側面５１に貼り付けたり、図３又は図５に示すように貼り付けるようにしても良い。そして、このように基礎１が施工された後、立ち上がり部５の上面に形成された仕上層７上に、柱材９等の構造材がアンカーボルト８を介して締結され、基礎１上に建物本体が施工されることになる。尚、フーチング部４は、通常、その全体が地盤Ｇに埋設されており、大気中に曝されないので、コンクリートの中性化が進み難いため、中性化を抑制するための対策は施していない。
【００２３】
次に、第２の実施形態に係る基礎構造について図５を参照しつつ説明する。尚、第１の実施形態に係る基礎構造と同様の構成等については、同一の符号を付し、その詳細な説明は省略する。第２の実施形態に係る基礎１ａの構造は、図５に示すように、第１の実施形態に係る基礎１の立ち上がり部５の上面と仕上層７との間に、コンクリートの中性化を抑制する中性化抑制材を塗布して上面保護層１１を形成し、更に立ち上がり部５の屋外側の外側面５３に、コンクリートの中性化を抑制する中性化抑制材を塗布して外側面保護層１２を形成しているものである。
【００２４】
外側面保護層１２を形成する中性化抑制材としては、例えば、シリコン樹脂系塗料やポリマーセメント系塗料等の弾性塗料を用いることができる。シリコン樹脂系塗料やポリマーセメント系塗料は、耐候性や意匠性に優れると共に、コンクリートのひび割れに追従可能な弾性を有している。従って、立ち上がり部５の外側面５３に塗布して外側面保護層１２を形成することで、基礎１の意匠性が向上するとともに、立ち上がり部５のコンクリートにひび割れが発生するようなことがあっても、外側面保護層１２がひび割れに追従して伸びることで、ひび割れを塞いで外部に露出させ難くして、中性化抑制効果を長期に亘って安定して維持することができる。このようなシリコン樹脂系塗料としては、例えば、関西ペイント社製の「シリコンテックス」、ポリマーセメント系塗料としては、例えば、宇部興産社製の「ビームプロテクターＳ」等を用いることができる。
【００２５】
また、立ち上がり部５の上面と仕上層７との間に形成される上面保護層１１では、仕上層７によって覆われて外部に露出していないことから、上面保護層１１を形成する中性化抑制材は、外側面保護層１２を形成する中性化抑制材に比べて、耐候性や意匠性、ひび割れ追従性はそれ程要求されない。特に、硬化後に弾性を有するものは施工した構造材の沈み込み等の不具合を生じさせる可能性があることから好ましくないため、上面保護層１１を形成する中性化抑制材としては、例えば、エチレン酢酸ビニル樹脂系塗料、アクリル樹脂系塗料、エポキシ樹脂系塗料、又は珪酸塩系表面含浸材等を用いることができる。上面保護層１１では、これらの中性化抑制材のうち、特に中性化抑制効果が高いエポキシ樹脂系塗料又は珪酸塩系表面含浸材を好適に用いることができる。
【００２６】
エポキシ樹脂系塗料は、接着性及び耐久性に優れているので、立ち上がり部５の上面に塗布して上面保護層１１を形成することにより、立ち上がり部５の上面への劣化因子の接触を防止し、中性化抑制効果を長期に亘って安定して維持することができる。このようなエポキシ樹脂系塗料としては、例えば、関西ペイント社製の「アレスアクアプライマーＥＰＯ」、日本シーカ社製の「シーカデュア３２」等を用いることができる。
【００２７】
また、珪酸塩系表面含浸材は、コンクリート表面に浸透させることにより、コンクリートに含まれる水酸化カルシウム等の成分と反応し、これによって生成される生成物質がコンクリートの微細な空隙を塞ぐことで、コンクリート表面を水密性及び気密性の高い緻密化した状態に改善することができる。従って、このような珪酸塩系表面含浸材を、立ち上がり部５の上面に塗布して上面保護層１１を形成することにより、天端面５２からの劣化因子の浸入を阻止して、中性化抑制効果を長期に亘って安定して維持することができる。このような珪酸塩系表面含浸材としては、例えば、エービーシー商会社製の「ＲＣガード」等を用いることができる。
【００２８】
本実施形態に係る基礎１ａの構造では、内側面５１に養生シート１０が貼り付けられているのに加えて、立ち上がり部５の上面と仕上層７との間に上面保護層１１が形成され、立ち上がり部５の屋外側の外側面５３にも外側面保護層１２が形成されているので、立ち上がり部５のコンクリートと二酸化炭素や水分等の劣化因子との反応を阻止して、コンクリートの中性化を抑制することができると共に、コンクリートの乾燥収縮を低減して、ひび割れ等の発生を抑制することができる。更に、立ち上がり部５の上面と仕上層７との間に上面保護層１１が形成されているので、柱材９や土台等の構造材をレベル調整や不陸調整が良好になされた平滑な仕上層７上に精度良く施工することができる。
【００２９】
以下、本実施形態に係る基礎１ａの構造の構築方法の一例について図５を参照しつつ説明する。基礎１ａの構築に際しては、基礎１と同様にまず鉄筋３やアンカーボルト８をセットした型枠内にコンクリートを打設して、フーチング部４及び立ち上がり部５を有するコンクリート構造体２を形成する。次に、立ち上がり部５の上面に対して、中性化抑制材を塗布して上面保護層１１を形成する。その後、上面保護層１１上にレベリング材を流し込んで仕上層７を形成する。そして、型枠を脱枠した後、立ち上がり部５の内側面５１に、コンクリートの中性化を抑制する養生シート１０を貼り付け、外側面５３に、中性化抑制材を塗布して外側面保護層１２を形成する。基礎１ａの構造のように、上面保護層１１及び外側面保護層１２を形成する場合でも、立ち上がり部５の内側面５１は、養生シート１０を貼り付けるという容易な作業でコンクリートの中性化を抑制することができるので、作業時間を短縮することができる。また、基礎１ａの場合も基礎１と同様に、養生シート１０の下端は、図５に示すように、地盤Ｇ内に入り込む位置でも、図２〜図４に示すように、貼り付けられていても良い。
【００３０】
尚、本発明の実施の形態は上述の形態に限ることなく、本発明の思想の範囲を逸脱しない範囲で適宜変更することができる。
【符号の説明】
【００３１】
１、１ａ    基礎
２          コンクリート構造体
３          鉄筋
５          立ち上がり部
５１        内側面
５２        天端面
１０        養生シート
【図１】
2015187342.tif 000003
【図２】
2015187342.tif 000004
【図３】
2015187342.tif 000005
【図４】
2015187342.tif 000006
【図５】
2015187342.tif 000007
【図６】
2015187342.tif 000008
【手続補正書】
【提出日】平成26年12月26日(2014.12.26)
【手続補正１】
【補正対象書類名】特許請求の範囲
【補正対象項目名】全文
【補正方法】変更
【補正の内容】
【特許請求の範囲】
【請求項１】
立ち上がり部を有する鉄筋コンクリート造の基礎構造であって、
上端が前記立ち上がり部の天端面から所定距離だけ下方に位置し、下端が地盤よりも上方に位置するように、コンクリートの中性化を抑制する養生シートが、前記立ち上がり部の内側面にのみ貼り付けられていることを特徴とする基礎構造。
【請求項２】
前記立ち上がり部の上端側は、レベリング材を施工してなる平滑な仕上層が形成されていることを特徴とする請求項１に記載の基礎構造。
【請求項３】
前記立ち上がり部の上面と前記仕上層との間には、コンクリートの中性化を抑制する中性化抑制材としてチレン酢酸ビニル樹脂系塗料、アクリル樹脂系塗料、エポキシ樹脂系塗料、又は珪酸塩系表面含浸材を塗布してなる上面保護層が形成されていることを特徴とする請求項２に記載の基礎構造。
【請求項４】
前記立ち上がり部の外側面は、コンクリートの中性化を抑制する弾性塗料を塗布してなる外側面保護層が形成されていることを特徴とする請求項１乃至３のいずれかに記載の基礎構造。
【請求項５】
立ち上がり部を有する鉄筋コンクリート造の基礎構造の構築方法であって、
型枠内にコンクリートを打設して、立ち上がり部を形成する工程と、
前記立ち上がり部の上面にレベリング材を流し込んで平滑な仕上層を形成する工程と、
前記型枠を脱枠した後、上端が前記立ち上がり部の天端面となる前記仕上層の上面から所定距離だけ下方に位置し、下端が地盤よりも上方に位置するように、コンクリートの中性化を抑制する養生シートを前記立ち上がり部の内側面にのみ貼り付ける工程とを有することを特徴とする基礎構造の構築方法。
【請求項６】
立ち上がり部を有する鉄筋コンクリート造の基礎構造の構築方法であって、
型枠内にコンクリートを打設して、立ち上がり部を形成する工程と、
前記立ち上がり部の上面に対して、コンクリートの中性化を抑制する中性化抑制材としてチレン酢酸ビニル樹脂系塗料、アクリル樹脂系塗料、エポキシ樹脂系塗料、又は珪酸塩系表面含浸材を塗布して上面保護層を形成する工程と、
前記上面保護層上にレベリング材を流し込んで平滑な仕上層を形成する工程と、
前記型枠を脱枠した後、上端が前記立ち上がり部の天端面となる前記仕上層の上面から所定距離だけ下方に位置し、下端が地盤よりも上方に位置するように、コンクリートの中性化を抑制する養生シートを前記立ち上がり部の内側面にのみ貼り付ける工程とを有することを特徴とする基礎構造の構築方法。
【請求項７】
前記立ち上がり部の外側面に、コンクリートの中性化を抑制する弾性塗料を塗布して外側面保護層を形成する工程を有することを特徴とする請求項６に記載の基礎構造の構築方法。
【手続補正２】
【補正対象書類名】明細書
【補正対象項目名】０００９
【補正方法】変更
【補正の内容】
【０００９】
上記目的を達成するために、請求項１に記載の基礎構造は、立ち上がり部を有する鉄筋コンクリート造の基礎構造であって、上端が前記立ち上がり部の天端面から所定距離だけ下方に位置し、下端が地盤よりも上方に位置するように、コンクリートの中性化を抑制する養生シートが、前記立ち上がり部の内側面にのみ貼り付けられていることを特徴としている。
【手続補正３】
【補正対象書類名】明細書
【補正対象項目名】００１０
【補正方法】変更
【補正の内容】
【００１０】
請求項２に記載の基礎構造では、前記立ち上がり部の上端側は、レベリング材を施工してなる平滑な仕上層が形成されていることを特徴としている。
【手続補正４】
【補正対象書類名】明細書
【補正対象項目名】００１１
【補正方法】変更
【補正の内容】
【００１１】
請求項３に記載の基礎構造は、前記立ち上がり部の上面と前記仕上層との間には、コンクリートの中性化を抑制する中性化抑制材としてチレン酢酸ビニル樹脂系塗料、アクリル樹脂系塗料、エポキシ樹脂系塗料、又は珪酸塩系表面含浸材を塗布してなる上面保護層が形成されていることを特徴としている。
また、請求項４に記載の基礎構造は、前記立ち上がり部の外側面は、コンクリートの中性化を抑制する弾性塗料を塗布してなる外側面保護層が形成されていることを特徴としている。
また、請求項５に記載の基礎構造の構築方法は、立ち上がり部を有する鉄筋コンクリート造の基礎構造の構築方法であって、型枠内にコンクリートを打設して、立ち上がり部を形成する工程と、前記立ち上がり部の上面にレベリング材を流し込んで平滑な仕上層を形成する工程と、前記型枠を脱枠した後、上端が前記立ち上がり部の天端面となる前記仕上層の上面から所定距離だけ下方に位置し、下端が地盤よりも上方に位置するように、コンクリートの中性化を抑制する養生シートを前記立ち上がり部の内側面にのみ貼り付ける工程とを有することを特徴としている。
また、請求項６に記載の基礎構造の構築方法は、立ち上がり部を有する鉄筋コンクリート造の基礎構造の構築方法であって、型枠内にコンクリートを打設して、立ち上がり部を形成する工程と、前記立ち上がり部の上面に対して、コンクリートの中性化を抑制する中性化抑制材としてチレン酢酸ビニル樹脂系塗料、アクリル樹脂系塗料、エポキシ樹脂系塗料、又は珪酸塩系表面含浸材を塗布して上面保護層を形成する工程と、前記上面保護層上にレベリング材を流し込んで平滑な仕上層を形成する工程と、前記型枠を脱枠した後、上端が前記立ち上がり部の天端面となる前記仕上層の上面から所定距離だけ下方に位置し、下端が地盤よりも上方に位置するように、コンクリートの中性化を抑制する養生シートを前記立ち上がり部の内側面にのみ貼り付ける工程とを有することを特徴としている。
また、請求項７に記載の基礎構造は、前記立ち上がり部の上端側が、レベリング材を施工してなる平滑な仕上層が形成されていることを特徴としている。
【手続補正５】
【補正対象書類名】明細書
【補正対象項目名】００１２
【補正方法】変更
【補正の内容】
【００１２】
本発明に係る基礎構造によれば、基礎の立ち上がり部の内側面は、コンクリートの中性化を抑制する養生シートが貼り付けられたものであるので、容易な作業で効率良く基礎の耐久性を向上させることができ、作業時間の短縮及びコストの軽減を図ることができる。また、立ち上がり部の内側面に、養生シートを貼り付けることで、基礎の耐久性を向上させているので、塗料を塗布する場合のようにムラが生じる虞がなく、施工性を向上させることができる。また、養生シートによって基礎の立ち上がり部のコンクリートに含まれる水分の逸脱を防止するので、コンクリートの乾燥収縮を低減して、ひび割れ等の発生を抑制し、基礎の耐久性を長期的に維持することができる。また、コンクリートの劣化スピードは、施工状況や材料によって大きく変わるが、本発明の基礎構造では、コンクリートと二酸化炭素や水分等の劣化因子との反応を阻止し、施工差や材料差に関係なく、中性化の抑制効果を発揮することができるので、中性化抑制のためにセメント量を増加させる必要がなく、コストを軽減することができる。
【手続補正６】
【補正対象書類名】明細書
【補正対象項目名】００１３
【補正方法】変更
【補正の内容】
【００１３】
また、本発明に係る基礎構造によれば、養生シートの上端を立ち上がり部の天端面から所定距離だけ下方に位置するように貼り付けることで、より安定的に基礎の耐久性を維持することができる。
【手続補正７】
【補正対象書類名】明細書
【補正対象項目名】００１４
【補正方法】変更
【補正の内容】
【００１４】
また、本発明に係る基礎構造によれば、立ち上がり部の外側面は、コンクリートの中性化を抑制する弾性塗料が塗布されているので、コンクリートの乾燥収縮を低減して、ひび割れ等の発生を抑制することができる。また、外面側のコンクリートにひび割れが発生するようなことがあっても、そのひび割れに追従して伸びることで、ひび割れを塞いで外部に露出させ難くすることにより、意匠性を向上させると共に、中性化の抑制を長期的に維持することができる。
【手続補正書】
【提出日】平成27年4月13日(2015.4.13)
【手続補正１】
【補正対象書類名】特許請求の範囲
【補正対象項目名】全文
【補正方法】変更
【補正の内容】
【特許請求の範囲】
【請求項１】
立ち上がり部を有する鉄筋コンクリート造の基礎構造であって、
上端が前記立ち上がり部の天端面から所定距離だけ下方に位置し、下端が地盤よりも上方に位置するように、コンクリートの中性化を抑制する養生シートが、前記立ち上がり部の内側面にのみ貼り付けられており、
前記立ち上がり部の上端側は、レベリング材を施工してなる平滑な仕上層が形成されていることを特徴とする基礎構造。
【請求項２】
前記立ち上がり部の上面と前記仕上層との間には、コンクリートの中性化を抑制する中性化抑制材としてチレン酢酸ビニル樹脂系塗料、アクリル樹脂系塗料、エポキシ樹脂系塗料、又は珪酸塩系表面含浸材を塗布してなる上面保護層が形成されていることを特徴とする請求項１に記載の基礎構造。
【請求項３】
前記立ち上がり部の外側面は、コンクリートの中性化を抑制する弾性塗料を塗布してなる外側面保護層が形成されていることを特徴とする請求項１又は２に記載の基礎構造。
【請求項４】
立ち上がり部を有する鉄筋コンクリート造の基礎構造の構築方法であって、
型枠内にコンクリートを打設して、立ち上がり部を形成する工程と、
前記立ち上がり部の上面にレベリング材を流し込んで平滑な仕上層を形成する工程と、
前記型枠を脱枠した後、上端が前記立ち上がり部の天端面となる前記仕上層の上面から所定距離だけ下方に位置し、下端が地盤よりも上方に位置するように、コンクリートの中性化を抑制する養生シートを前記立ち上がり部の内側面にのみ貼り付ける工程とを有することを特徴とする基礎構造の構築方法。
【請求項５】
立ち上がり部を有する鉄筋コンクリート造の基礎構造の構築方法であって、
型枠内にコンクリートを打設して、立ち上がり部を形成する工程と、
前記立ち上がり部の上面に対して、コンクリートの中性化を抑制する中性化抑制材としてチレン酢酸ビニル樹脂系塗料、アクリル樹脂系塗料、エポキシ樹脂系塗料、又は珪酸塩系表面含浸材を塗布して上面保護層を形成する工程と、
前記上面保護層上にレベリング材を流し込んで平滑な仕上層を形成する工程と、
前記型枠を脱枠した後、上端が前記立ち上がり部の天端面となる前記仕上層の上面から所定距離だけ下方に位置し、下端が地盤よりも上方に位置するように、コンクリートの中性化を抑制する養生シートを前記立ち上がり部の内側面にのみ貼り付ける工程とを有することを特徴とする基礎構造の構築方法。
【請求項６】
前記立ち上がり部の外側面に、コンクリートの中性化を抑制する弾性塗料を塗布して外側面保護層を形成する工程を有することを特徴とする請求項５に記載の基礎構造の構築方法。
【手続補正２】
【補正対象書類名】明細書
【補正対象項目名】０００９
【補正方法】変更
【補正の内容】
【０００９】
上記目的を達成するために、請求項１に記載の基礎構造は、立ち上がり部を有する鉄筋コンクリート造の基礎構造であって、端が前記立ち上がり部の天端面から所定距離だけ下方に位置し、下端が地盤よりも上方に位置するように、コンクリートの中性化を抑制する養生シートが、前記立ち上がり部の内側面にのみ貼り付けられており、前記立ち上がり部の上端側は、レベリング材を施工してなる平滑な仕上層が形成されていることを特徴としている。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
請求項２に記載の基礎構造は、前記立ち上がり部の上面と前記仕上層との間には、コンクリートの中性化を抑制する中性化抑制材としてチレン酢酸ビニル樹脂系塗料、アクリル樹脂系塗料、エポキシ樹脂系塗料、又は珪酸塩系表面含浸材を塗布してなる上面保護層が形成されていることを特徴としている。
また、請求項３に記載の基礎構造は、前記立ち上がり部の外側面は、コンクリートの中性化を抑制する弾性塗料を塗布してなる外側面保護層が形成されていることを特徴としている。
また、請求項４に記載の基礎構造の構築方法は、立ち上がり部を有する鉄筋コンクリート造の基礎構造の構築方法であって、型枠内にコンクリートを打設して、立ち上がり部を形成する工程と、前記立ち上がり部の上面にレベリング材を流し込んで平滑な仕上層を形成する工程と、前記型枠を脱枠した後、上端が前記立ち上がり部の天端面となる前記仕上層の上面から所定距離だけ下方に位置し、下端が地盤よりも上方に位置するように、コンクリートの中性化を抑制する養生シートを前記立ち上がり部の内側面にのみ貼り付ける工程とを有することを特徴としている。
また、請求項５に記載の基礎構造の構築方法は、立ち上がり部を有する鉄筋コンクリート造の基礎構造の構築方法であって、型枠内にコンクリートを打設して、立ち上がり部を形成する工程と、前記立ち上がり部の上面に対して、コンクリートの中性化を抑制する中性化抑制材としてチレン酢酸ビニル樹脂系塗料、アクリル樹脂系塗料、エポキシ樹脂系塗料、又は珪酸塩系表面含浸材を塗布して上面保護層を形成する工程と、前記上面保護層上にレベリング材を流し込んで平滑な仕上層を形成する工程と、前記型枠を脱枠した後、上端が前記立ち上がり部の天端面となる前記仕上層の上面から所定距離だけ下方に位置し、下端が地盤よりも上方に位置するように、コンクリートの中性化を抑制する養生シートを前記立ち上がり部の内側面にのみ貼り付ける工程とを有することを特徴としている。
また、請求項６に記載の基礎構造は、前記立ち上がり部の上端側が、レベリング材を施工してなる平滑な仕上層が形成されていることを特徴としている。